(57)【要約】【課題】記録再生装置をコンピュータ装置と接続し、コンピュータ装置からデータの記録や再生を制御する際の記録再生装置における操作性及び利便性を向上させる。【解決手段】本発明に係る記録再生装置１によれば、動作モードがＮｅｔ　ＭＤモードに設定されると、ＣＰＵ１１ａは、セレクタ１５をＵＳＢ側に自動的に切り換える。ＰＣ２からＭＤ再生要求コマンドが入力されると、ＣＰＵ１１ａは、セレクタ１５をＭＤ側に切り換える。ＰＣ２からＭＤ再生停止コマンドが入力されると、ＣＰＵ１１ａは、セレクタ１５をＵＳＢ側に切り換える。Ｎｅｔ　ＭＤモードＯＦＦ要求が入力されると、ＣＰＵ１１ａは、セレクタ１５をＭＤ側に切り換える。【選択図】　　図１
2004127412.tif 000002
【特許請求の範囲】
【請求項１】
記録／再生するデータ及び制御信号を送信可能なコンピュータ装置に通信手段を介して接続可能であって、装填された記録媒体に記録データを記録すると共に、装填された記録媒体に記録されたデータを再生する記録再生手段を備えた記録再生装置において、
前記通信手段を介して、前記コンピュータ装置に前記記録再生手段を接続して記録／再生動作を行う外部接続動作モードに移行可能に構成され、
前記通信手段を介して前記コンピュータ装置から受信した再生データを出力する第１のセレクタ状態と、前記通信手段を介して前記コンピュータ装置から受信した制御信号に基づいて、前記記録再生手段により再生されたデータを出力する第２のセレクタ状態とを有するセレクタを備え、
前記外部接続動作モードに移行したとき、前記セレクタが前記第１のセレクタ状態となし、前記コンピュータ装置から前記録記再生手段に装填された記録媒体を再生する再生指示が受信されたとき、前記セレクタが前記第２のセレクタ状態となすようにしたことを特徴とする記録再生装置。
【請求項２】
前記コンピュータ装置から前記記録再生手段に装填された記録媒体の再生を停止する再生停止指示が受信されたとき、前記セレクタが前記第１のセレクタ状態となすようにしたことを特徴とする請求項１に記載の記録再生装置。
【請求項３】
前記コンピュータ装置から前記再生停止指示が受信された後、前記コンピュータ装置から前記再生指示が受信されずに所定時間が経過したとき、前記セレクタが前記第１のセレクタ状態となすようにしたことを特徴とする請求項１に記載の記録再生装置。
【請求項４】
電源のＯＮ／ＯＦＦ要求を入力するための電源操作部を備え、
前記外部接続動作モードにおける動作中に電源のＯＦＦ要求が入力されたとき、前記セレクタが前記第２のセレクタ状態となすようにしたことを特徴とする請求項１〜３の何れか一項に記載の記録再生装置。
【請求項５】
電源コンセントへの接続が断絶されたことを検知する検知手段と、
前記電源コンセントへの接続が断絶された際に、各種設定や各部の状態をバックアップとして記憶するバックアップデータ記憶部とを備え、
前記バックアップデータ記憶部は、前記外部接続動作モードにおける動作中に前記検知手段により前記電源コンセントへの接続が断絶されたことが検知されたとき、前記第２のセレクタ状態をバックアップとして記憶することを特徴とする請求項１〜４の何れか一項に記載の記録再生装置。
【請求項６】
前記セレクタが第１のセレクタ状態をなしているか又は第２のセレクタ状態をなしているかを判別して表示部に表示させる表示制御手段を備えたことを特徴とする請求項１〜５の何れか一項に記載の記録再生装置。
【発明の詳細な説明】
【０００１】
【発明の属する技術分野】
本発明は、記録再生装置に関する。
【０００２】
【従来の技術】
近年、パソコン（ｐｅｒｓｏｎａｌ　ｃｏｍｐｕｔｅｒ；以下、ＰＣと略記する。）と記録再生装置をＵＳＢ（Ｕｎｉｖｅｒｓａｌ　Ｓｅｒｉａｌ　Ｂｕｓ）で接続するインターフェース規格であるＮｅｔ　ＭＤにより、インターネット等の音楽配信サービスにてパソコン上にダウンロードされた音楽データ等、ＰＣ上のデータをＰＣからの制御により記録再生装置に入力し、ＭＤ（Ｍｉｎｉ　Ｄｉｓｃ）等の記録メディアにチェックアウト（記録）したり、再生したりすることが可能となっている。
【０００３】
Ｎｅｔ　ＭＤのように、ＰＣを記録再生装置等の外部機器に接続し、音声信号の再生や記録を行う場合には、ＰＣからの音声信号若しくは外部機器の音声信号の何れかをアンプにより増幅してスピーカから出力することができる。このように、従来、２以上の系統の音声信号をアンプやスピーカに入力可能な場合、出力する音声信号に応じてセレクタを切り換えることにより、出力すべき音声信号がアンプ、スピーカへ入力されるようになっている。この構成を利用して、コンピュータ装置本体に接続されるＵＳＢ等のインターフェースを介して外部機器に対して音声信号を出力し得るコンピュータ装置において、インターフェースを介して外部機器に対して音声信号が出力されていることを検出し、コンピュータ装置の表示画面に表示し、音声信号系統の信号状態がいずれであるかをユーザに報知する技術が開示されている（例えば、特開文献１参照）。
【０００４】
【特許文献１】
特開２００２−２２９７７０号公報
【０００５】
【発明が解決しようとする課題】
ところで、記録再生装置においてＮｅｔ　ＭＤ機能を利用するには、動作モードをＮｅｔ　ＭＤモードに設定することが必要である。ＮｅｔＭＤ機能を利用する場合には、ＰＣからＭＤを再生指示する状態と、ＰＣから送出される音楽情報等の記録情報をＵＳＢを介して受信する状態と、ＰＣのハードディスクやＣＤドライブ内の情報をＵＳＢを介して受信する状態とがあり、その切り換え操作が煩雑であった。
【０００６】
本発明の課題は、記録再生装置をコンピュータ装置と接続し、コンピュータ装置からデータの記録や再生を制御する際の記録再生装置における操作性及び利便性を向上させることである。
【０００７】
【課題を解決するための手段】
上記課題を解決するため、請求項１に記載の発明は、
記録／再生するデータ及び制御信号を送信可能なコンピュータ装置に通信手段を介して接続可能であって、装填された記録媒体に記録データを記録すると共に、装填された記録媒体に記録されたデータを再生する記録再生手段を備えた記録再生装置において、
前記通信手段を介して、前記コンピュータ装置に前記記録再生手段を接続して記録／再生動作を行う外部接続動作モードに移行可能に構成され、
前記通信手段を介して前記コンピュータ装置から受信した再生データを出力する第１のセレクタ状態と、前記通信手段を介して前記コンピュータ装置から受信した制御信号に基づいて、前記記録再生手段により再生されたデータを出力する第２のセレクタ状態を有するセレクタを備え、
前記外部接続動作モードに移行したとき、前記セレクタが前記第１のセレクタ状態となし、前記コンピュータ装置から前記録記再生手段に装填された記録媒体を再生する再生指示が受信されたとき、前記セレクタが前記第２のセレクタ状態となすようにしたことを特徴としている。
【０００８】
請求項２に記載の発明は、請求項１に記載の発明において、
前記コンピュータ装置から前記記録再生手段に装填された記録媒体の再生を停止する再生停止指示が受信されたとき、前記セレクタが前記第１のセレクタ状態となすようにしたことを特徴としている。
【０００９】
請求項３に記載の発明は、請求項１に記載の発明において、
前記コンピュータ装置から前記再生停止指示が受信された後、前記コンピュータ装置から前記再生指示が受信されずに所定時間が経過したとき、前記セレクタが前記第１のセレクタ状態となすようにしたことを特徴としている。
【００１０】
請求項４に記載の発明は、請求項１〜３の何れか一項に記載の発明において、
電源のＯＮ／ＯＦＦ要求を入力するための電源操作部を備え、
前記外部接続動作モードにおける動作中に電源のＯＦＦ要求が入力されたとき、前記セレクタが前記第２のセレクタ状態となすようにしたことを特徴としている。
【００１１】
請求項５に記載の発明は、請求項１〜４の何れか一項に記載の発明において、
電源コンセントへの接続が断絶されたことを検知する検知手段と、
前記電源コンセントへの接続が断絶された際に、各種設定や各部の状態をバックアップとして記憶するバックアップデータ記憶部とを備え、
前記バックアップデータ記憶部は、前記外部接続動作モードにおける動作中に前記検知手段により前記電源コンセントへの接続が断絶されたことが検知されたとき、前記第２のセレクタ状態をバックアップとして記憶することを特徴としている。
【００１２】
請求項６に記載の発明は、請求項１〜５の何れか一項に記載の発明において、前記セレクタが第１のセレクタ状態をなしているか又は第２のセレクタ状態をなしているかを判別して表示部に表示させる表示制御手段を備えたことを特徴としている。
【００１３】
【発明の実施の形態】
以下、図を参照して本発明の実施の形態を詳細に説明する。
図１は、本実施の形態に係るオーディオシステム１００の全体構成及び各装置の機能的構成を示すブロック図である。図１に示すように、オーディオシステム１００は、記録再生装置１とＰＣ２がＵＳＢ３を介して接続され、データの入出力が可能なように構成されている。ＰＣ２は、ＵＳＢ３を介してハードディスク２４又はＣＤ（Ｃｏｍｐａｃｔ　Ｄｉｓｃ）ドライブ２５に装填されたＣＤ（図示せず）に記録されているデータを記録再生装置１へ出力し、記録再生装置１は、ＰＣ２からの制御に従い、ＰＣ２から入力されたデータを再生したり、ＭＤ記録再生部１４に装填されたＭＤに記録したりする。なお、本実施の形態において、記録再生装置１は、本発明の請求項に記載の記録再生装置に相当し、ＰＣ２は、コンピュータ装置に相当するものである。また、記録再生装置１が記録／再生するデータは音楽データとして説明するが、これに限定されるものではない。
【００１４】
まず、記録再生装置１の内部構成について説明する。
記録再生装置１は、図１に示すように、ＣＰＵ（Ｃｅｎｔｒａｌ　Ｐｒｏｃｅｓｓｉｎｇ　Ｕｎｉｔ）１１ａ、ＲＯＭ（Ｒｅａｄ　Ｏｎｌｙ　　Ｍｅｍｏｒｙ）１１ｂ、ＲＡＭ（Ｒａｎｄｏｍ　Ａｃｃｅｓｓ　Ｍｅｍｏｒｙ）１１ｃを備えたシステムコントローラ１１、操作部１２、表示パネル部１３、ＭＤ記録再生部１４、セレクタ１５、Ｄ／Ａ変換器１６、アンプ１７、スピーカ１８、Ｉ／Ｆ１９等により構成されている。
【００１５】
システムコントローラ１１内のＣＰＵ１１ａは、ユーザによる操作部１２からのキー操作により、ＲＯＭ１１ｂに格納されているシステムプログラムや各種制御プログラムを読み出し、ＲＡＭ１１ｃ内のプログラム格納領域に展開し、該制御プログラムに従って各部の動作を集中制御する。例えば、ＣＰＵ１１ａは、操作部１２からの操作によりＮｅｔ　ＭＤモードＯＮが要求されると、動作モードをＮｅｔ　ＭＤモードに設定し、ＰＣ２からのコマンド（制御信号）に応じて各部を制御し、ＭＤに記録された音楽データを再生、出力したり、ＵＳＢ３を介してＰＣ２から入力された音楽データをＭＤに記録したりする。なお、本実施の形態におけるＮｅｔ　ＭＤモードは、本発明の請求項に記載の外部接続動作モードに相当するものである。
【００１６】
また、ＣＰＵ１１ａは、ＲＯＭ１１ｂから読み出したプログラムに従って、後述するセレクタ自動切り換え処理Ａ、Ｂ、セレクタバックアップ処理、セレクタ状態表示処理を始めとする各種処理を実行し、Ｎｅｔ　ＭＤモード時におけるセレクタ１５の切り換え制御を行ったり、ＡＣコンセントへの接続が断絶されたことを検知してＲＡＭ１１ｃにセレクタ１５の選択状態をＭＤ側として記憶させたり、セレクタ１５の選択状態を表示パネル部１３に表示させたりする。
【００１７】
ＲＯＭ１１ｂは、半導体等の不揮発性メモリ等により構成されている。ＲＯＭ１１ｂに記録再生装置１に対応するシステムプログラム、及び該システムプログラム上で実行可能なセレクタ自動切り換え処理Ａプログラムを始めとする各種処理プログラム及びプログラムの実行に必要なデータ等を予め記憶する。
【００１８】
ＲＡＭ１１ｃは、ＣＰＵ１１ａにより実行制御される上記各種処理において、ＲＯＭ１１ｂから読み出された記録再生装置１で実行可能なシステムプログラム、制御プログラム、入力若しくは出力データ、及びパラメータ等の一時的な格納領域となる。また、ＲＡＭ１１ｃは、各部の状態や各種設定等をバックアップとして記憶するバックアップＲＡＭを有する。
【００１９】
操作部１２は、電源ＯＮ／ＯＦＦキー、録音（記録）キー、再生キー、テンキー、ＳＫＩＰ　ＵＰ／ＤＯＷＮキー、停止キー、モード切り換えキー等の各種機能キーを備え、キー操作による操作信号をシステムコントローラ１へ出力する。
【００２０】
表示パネル部１３は、ＬＣＤ（Ｌｉｑｕｉｄ　Ｃｒｙｓｔａｌ　Ｄｉｓｐｌａｙ）等により構成され、ＣＰＵ１１ａから入力される表示信号の指示に従って、表示画面上に、現在のセレクタ１５の状態、再生するＭＤの全録音時間、全体の曲数、現在録音または再生されている曲番号等の情報や動作モード等の表示を行う。
【００２１】
ＭＤ記録再生部１４は、図示しない光ピックアップ、ＤＳＰ（Ｄｉｇｉｔａｌ　ＳｉｇｎａｌＰｒｏｃｅｓｓｏｒ）、トラッキングスレッドサーボ回路、スピンドルサーボ回路、ヘッド駆動部等により構成される。ＭＤ記録再生部１４の各部は、ＣＰＵ１１ａから入力される制御信号により、ＵＳＢ３を介してＰＣ２から入力された音楽データをＭＤに記録する。また、再生対象のＭＤに記録された音楽データを再生し、セレクタ１５、Ｄ／Ａ変換器１６、アンプ１７を介してスピーカ１８から出力する。
【００２２】
光ピックアップは、後述するトラッキングスレッドサーボ回路に制御されたスレッドによりＭＤの半径方向に移動し、音楽データの記録時にレーザ光をＭＤの記録面に向けて照射し、キュリー点以上になるまで加熱する。また、光ピックアップは、音楽データの再生時にレーザ光をＭＤの記録面に向けて照射し、その反射光の強弱からＭＤに記録されているデータを読み取ってＤＳＰに出力する。
【００２３】
ＤＳＰは、高速のマイクロプロセッサであり、音楽データのＡＴＲＡＣ（Ａｄａｐｔｉｖｅ　Ｔｒａｎｓｆｏｒｍ　Ａｃｏｕｓｔｉｃ　Ｃｏｄｉｎｇ）方式への圧縮／伸張の処理、エラー訂正符号化の処理、ＥＦＭ（Ｅｉｇｈｔ　ｔｏ　Ｆｏｕｒｔｅｅｎ　Ｍｏｄｕｌａｔｉｏｎ）変調処理等の各種デジタル信号処理を施す。
【００２４】
トラッキングスレッドサーボ回路は、スレッド駆動信号をスレッドモータに印加することにより、光ピックアップをＭＤの半径方向に移動させる。
スピンドルサーボ回路は、ＭＤを下方から支持しているスピンドルモータにスピンドル駆動信号を印加することで、スピンドルモータを一定線速度に制御し、装填されたＭＤを回転駆動させる。
【００２５】
ヘッド駆動部は、ＭＤを挟んで光ピックアップと対向する位置に配置されており、ＤＳＰから供給される信号に応じた磁場をＭＤに印加する。これにより、ＭＤに音楽データが記録される。
【００２６】
セレクタ１５は、操作部１２のモード切り換えキーの操作又はシステムコントローラ１１の制御によりＵＳＢ側に切り換わることによりＰＣ２から入力された音楽データをＤ／Ａ変換器１６、アンプ１７、スピーカ１８を介して外部に出力する。また、ＭＤ側に切り換わることによりＭＤ記録再生部１４からの音楽データをＤ／Ａ変換器１６、アンプ１７、スピーカ１８を介して外部に出力する。
【００２７】
Ｄ／Ａ変換器１６は、セレクタ１５を介して入力された音楽データをアナログ音声信号に変換する。アンプ１７は、Ｄ／Ａ変換器１６から入力されたアナログ音声信号を増幅してスピーカ１８に出力する。スピーカ１８は、アンプ１７で増幅された音声を外部に出力する。
【００２８】
Ｉ／Ｆ１９は、記録再生装置１とＵＳＢ３を接続するためのインターフェースである。
【００２９】
次に、ＰＣ２の内部構成について説明する。
ＰＣ２は、図１に示す様に、ＣＰＵ２１ａ、ＲＯＭ２１ｂ及びＲＡＭ２１ｃを有する制御部２１、操作部２２、表示部２３、ハードディスク２４、ＣＤドライブ２５、Ｉ／Ｆ２６、通信制御部２７等により構成されている。
【００３０】
ＣＰＵ２１ａは、ＲＯＭ２１ｂ、ハードディスク２４に記憶されているシステムプログラムや各種処理プログラムを読み出して、読み出したプログラムに従って各部の動作を集中制御する。例えば、ハードディスク２４には、ＵＳＢ３を介して接続された記録再生装置１を制御するための記録再生用アプリケーションソフトが格納されており、ＣＰＵ２１ａは、操作部２２により記録再生用アプリケーションソフトの実行が指示されると、記録再生用アプリケーションソフトのアプリケーションプログラムを読み出して実行する。具体的には、ＣＰＵ２１ａは、表示部２３に記録再生装置１を操作するための操作画面を表示して、操作画面からの入力指示に従って、ハードディスク２４やＣＤドライブ２５に装填されたＣＤに記録された音楽データを記録再生装置１に転送し、記録再生装置１を制御してこれらの音楽データを出力させたり、ＭＤに記録（チェックアウト）したり、ＭＤに記録された音楽データを再生させたりする。
【００３１】
また、ＣＰＵ２１ａは、ウェブブラウザ機能を有し、ＵＲＬ（Ｕｉｆｏｒｍ　Ｒｅｓｏｕｒｃｅ　Ｌｏｃａｔｏｒ）等により所定のインターネットアドレスを指定することで、インターネットＮを介して任意のウェブサーバにアクセスし、ウェブページを閲覧可能とする。例えば、ＣＰＵ２１ａは、操作部２２からの入力指示に従って、音楽配信サービスを提供するウェブページにアクセスし、音楽データのダウンロードを行ってＡＴＲＡＣ形式、ＡＴＲＡＣ３形式等の所定のデータフォーマットに変換し、ハードディスク２４に記憶させる。
【００３２】
ＲＯＭ２１ｂは、不揮発性の半導体メモリ等により構成され、ＰＣ２に対応するシステムプログラム、及び該システムプログラム上で実行可能な各種処理プログラム等を記憶する。プログラムは、コンピュータが読み取り可能なプログラムコードの形態で格納され、ＣＰＵ２１ａは、当該プログラムコードに従った動作を逐次実行する。
【００３３】
ＲＡＭ２１ｃは、制御部２１により実行制御される各種処理において、ＲＯＭ２１ｂやバードディスク２４から読み出されたＰＣ２で実行可能なシステムプログラム、各種処理プログラム、各種アプリケーションプログラム、入力若しくは出力データ、及びパラメータ等の一時的な格納領域となる。
【００３４】
操作部２２は、文字／英数字入力キー、カーソルキー、及び各種機能キー等を備えたキーボードと、ポインティングデバイスであるマウス等を備えて構成され、キーボードで押下操作されたキーの押下信号とマウスによる操作信号とを入力信号としてＣＰＵ２１ａへ出力する。若しくは、操作部２２は、表示部２３の表示画面を覆う透明なシートパネルに、指又は専用のスタイラスペンで触れることにより入力される位置情報を入力信号としてＣＰＵ２１ａに出力する、タッチパネルにより構成される。
【００３５】
表示部２３は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ２１ａから入力される表示信号の指示に従って、表示画面上に、画像の表示を行う。
【００３６】
ハードディスク２４は、大容量の記憶装置であり、音楽データ、記録再生用アプリケーションソフトのアプリケーションプログラムのデータをはじめとする各種データを記憶する。ハードディスク２４は、ＰＣ２内部に固定的に設けたもの、若しくは着脱自在に装着するものである。
ＣＤドライブ２５は、装填されたＣＤに記録されたデータの読み出しを行う。
【００３７】
Ｉ／Ｆ２６は、ＰＣ２とＵＳＢ３を接続するためのインターフェースである。通信制御部２７は、モデム、ＴＡ（Ｔｅｒｍｉｎａｌ　Ａｄａｐｔｅｒ）やルータ等により構成され、電話回線、ＩＳＤＮ回線、ＡＤＳＬ回線、ケーブルテレビ回線、或いは光ファイバ等によってなる専用線等の通信回線を介して、インターネットＮに接続された外部の機器との通信を行うための制御を行う。
【００３８】
次に、動作について説明する。
図２は、記録再生装置１のＣＰＵ１１ａにより実行されるセレクタ自動切り換え処理Ａを示すフローチャートである。以下、図２を参照してセレクタ自動切り換え処理Ａについて説明する。
【００３９】
モード切り換えキーの操作によりＭＤモードが選択されることによりセレクタ１５がＭＤ側に切り換えられ（ステップＳ１；ＹＥＳ）、操作部１２の操作によりＮｅｔ　ＭＤモードＯＮの要求が入力されると（ステップＳ２；ＹＥＳ）、ＣＰＵ１１ａは、動作モードをＮｅｔ　ＭＤモードに設定するとともに（ステップＳ３）、セレクタ１５をＵＳＢ側に切り換える（ステップＳ４）。
【００４０】
セレクタ１５をＵＳＢ側に切り換え後、操作部１２によりＮｅｔ　ＭＤモードＯＦＦの要求が入力されることなく（ステップＳ５；ＮＯ）、ＵＳＢ３を介してＰＣ２からＭＤ再生要求コマンドが入力されると（ステップＳ６；ＹＥＳ）、ＣＰＵ１１ａは、セレクタ１５をＭＤ側に切り換え（ステップＳ７）、ＭＤ記録再生部１４の各部を制御することによりＭＤに記録された音楽データを再生してスピーカ１８から出力させる（ステップＳ８）。ＰＣ２からＭＤ再生停止コマンドが入力されると（ステップＳ９；ＹＥＳ）、ＣＰＵ１１ａは、内蔵されたタイマーをセットして計時を開始し（ステップＳ１０）、タイマーからのタイムアップ信号を待機する（ステップＳ１１）。この間にＰＣ２からＭＤ再生要求コマンドが入力されると（ステップＳ１２；ＹＥＳ）、ＣＰＵ１１ａは、ステップＳ８に戻りステップＳ８〜１２を繰り返し実行する。タイマーからのタイムアップ信号が入力されると（ステップＳ１１；ＹＥＳ）、ＣＰＵ１１ａは、ステップＳ４に戻って、セレクタ１５をＵＳＢ側に切り換え、ステップＳ４以降の処理を実行する。
【００４１】
一方、ステップＳ４においてセレクタ１５をＵＳＢ側に切り換えた後、ＮｅｔＭＤモードＯＦＦの要求が入力されると（ステップＳ５；ＹＥＳ）、ＣＰＵ１１ａは、Ｎｅｔ　ＭＤモードをＯＦＦに設定し（ステップＳ１３）、セレクタ１５をＭＤ側に切り換える（ステップＳ１４）。
【００４２】
上述したセレクタ自動切り換え処理Ａによれば、操作部１２の操作により動作モードがＮｅｔ　ＭＤモードに設定されると、ＣＰＵ１１ａは、セレクタ１５をＵＳＢ側に自動的に切り換える。これにより、ＰＣ２の音楽データをスピーカ１８に出力することができるようになるので、ＰＣ２のハードディスク２４やＣＤドライブ２５に記録された音楽データを再生、出力することが可能となる。一方、セレクタ１５がＵＳＢ側である場合は、ＭＤからの音楽データをスピーカ１８から出力することはできない。そこで、ＣＰＵ１１ａは、ＰＣ２からＭＤ再生要求コマンドが入力されると、セレクタ１５を自動的にＭＤ側に切り換える。ＰＣ２からＭＤ再生停止コマンドが入力されると、ＣＰＵ１１ａは、セレクタ１５をＵＳＢ側に自動的に切り換える。ここで、ＰＣ２のアプリケーションプログラムによってはＭＤを１曲再生すると停止し、また再生を行う場合もあるので、ＭＤ停止後、停止状態で所定時間が経過した後、セレクタ１５をＵＳＢ側に切り換える。
【００４３】
従って、ＰＣ２の記録再生用アプリケーションプログラムに従って、音楽データの再生、ＭＤへのチェックアウト、ＭＤの再生等を行う際に、ユーザがいちいち記録再生装置１におけるモード切り換え操作を行う必要がなくなり、操作性及び利便性が向上する。
【００４４】
次に、図３のフローチャートを参照してＣＰＵ１１ａにより実行されるセレクタ自動切り換え処理Ｂについて説明する。
【００４５】
モード切り換えキーの操作によりＭＤモードが選択されることによりセレクタ１５がＭＤ側に切り換えられ（ステップＳ２１；ＹＥＳ）、操作部１２の操作によりＮｅｔ　ＭＤモードＯＮの要求が入力されると（ステップＳ２２；ＹＥＳ）、ＣＰＵ１１ａは、動作モードをＮｅｔ　ＭＤモードに設定する（ステップＳ２３）。
【００４６】
Ｎｅｔ　ＭＤモードに設定後、操作部１２の電源ＯＮ／ＯＦＦキーから電源ＯＦＦ要求が入力されると（ステップＳ２４；ＹＥＳ）、ＣＰＵ１１ａは、セレクタ１５がＭＤ側を選択しているか否かを判断し（ステップＳ２５）、セレクタ１５がＭＤ側を選択していないと判断すると（ステップＳ２５；ＮＯ）、セレクタ１５をＭＤ側に切り換えて（ステップＳ２６）、電源ＯＦＦ処理を実行する（ステップＳ２７）。一方、セレクタ１５がＭＤ側を選択していると判断すると（ステップＳ２５；ＹＥＳ）、ＣＰＵ１１ａは、そのまま電源ＯＦＦ処理を実行する（ステップＳ２７）。
【００４７】
上述したセレクタ自動切り換え処理Ｂによれば、Ｎｅｔ　ＭＤモード時に操作部１２の電源ＯＮ／ＯＦＦキーから電源ＯＦＦ要求が入力されると、ＣＰＵ１１ａは、セレクタ１５がＭＤ側を選択しているか否かを判断し、ＭＤ側ではないと判断すると、セレクタ１５をＭＤ側に切り換えてから電源ＯＦＦ処理を実行する。
【００４８】
従って、上述したセレクタ自動切り換え処理Ａを実行することにより、セレクタ１５の状態がＮｅｔ　ＭＤモード開始時の状態から変化した状態でユーザが電源ＯＦＦの操作をしても、次に電源をＯＮにした際に、セレクタ１５がＮｅｔ　ＭＤモード開始時の状態（ＭＤ側）と同様の状態で立ちあがるので、セレクタ１５の自動切り換えによってユーザに違和感を与えてしまうということがなくなる。
【００４９】
次に、図４のフローチャートを参照してＣＰＵ１１ａにより実行されるセレクタバックアップ処理について説明する。
【００５０】
モード切り換えキーの操作によりＭＤモードが選択されることによりセレクタ１５がＭＤ側に切り換えられ（ステップＳ３１；ＹＥＳ）、操作部１２の操作によりＮｅｔ　ＭＤモードＯＮの要求が入力されると（ステップＳ３２；ＹＥＳ）、ＣＰＵ１１ａは、動作モードをＮｅｔ　ＭＤモードに設定する（ステップＳ３３）。
【００５１】
Ｎｅｔ　ＭＤモードに切り換え後、ＣＰＵ１１ａは、ＡＣ電源からの信号がＬｏｗ信号となることにより、記録再生装置１の電源プラグがＡＣコンセントから抜かれたことを検知すると（ステップＳ３４；ＹＥＳ）、セレクタ１５がＭＤ側を選択しているか否かを判断し（ステップＳ３５）、セレクタ１５がＭＤ側を選択していないと判断すると（ステップＳ３５；ＮＯ）、ＲＡＭ１１ｃのセレクタバックアップＲＡＭの内容をＭＤに書き換え（ステップＳ３６）、バックアップ処理を実行する（ステップＳ３７）。一方、セレクタ１５がＭＤ側を選択していると判断すると（ステップＳ３５；ＹＥＳ）、ＣＰＵ１１ａは、バックアップＲＡＭの書き換えを行わずにバックアップ処理を実行する（ステップＳ３７）。
【００５２】
上述したセレクタバックアップ処理によれば、ＣＰＵ１１ａは、ＡＣ電源からＬｏｗ信号を検知すると、セレクタ１５がＭＤ側を選択しているか否かを判断し、ＭＤ側ではないと判断すると、セレクタバックアップＲＡＭをＭＤに書き換えてからバックアップ処理を実行する。
【００５３】
従って、ユーザは、上述したセレクタ自動切り換え処理Ａを実行することにより、セレクタ１５の状態がＮｅｔ　ＭＤモード開始時の状態から変化した状態でＡＣコンセントからプラグを抜いた場合でも、次にプラグをＡＣコンセントに挿入して電源をＯＮにした際に、セレクタ１５がＮｅｔ　ＭＤモード開始時の状態（ＭＤ側）と同様の状態で立ちあがるので、セレクタ１５の自動切り換えによってユーザに違和感を与えてしまうということがなくなる。
【００５４】
なお、本実施の形態において、記録再生装置１は、ＡＣコンセントにプラグを接続する構成としたが、電源への接続方法はこれに限定されず、例えば、ＤＣコンセントを利用してもよい。
【００５５】
次に、図５のフローチャートを参照してＣＰＵ１１ａにより実行されるセレクタ状態表示処理について説明する。
【００５６】
モード切り換えキーの操作によりＭＤモードが選択されることによりセレクタ１５がＭＤ側に切り換えられ（ステップＳ４１；ＹＥＳ）、操作部１２の操作によりＮｅｔ　ＭＤモードＯＮの要求が入力されると（ステップＳ４２；ＹＥＳ）、ＣＰＵ１１ａは、動作モードをＮｅｔ　ＭＤモードに設定する（ステップＳ４３）。
【００５７】
Ｎｅｔ　ＭＤモードに設定後、ＣＰＵ１１ａは、セレクタ１５がＭＤ側を選択した状態であるか否かを判断し（ステップＳ４４）、セレクタ１５の状態がＭＤ側であると判断すると（ステップＳ４４；ＹＥＳ）、表示パネル部１３にセレクタ１５がＭＤ側であることを表示させ（ステップＳ４５）、セレクタ１５の状態がＭＤ側ではないと判断すると（ステップＳ４４；ＹＥＳ）、表示パネル部１３にセレクタ１５がＵＳＢ側であることを表示させる（ステップＳ４６）。ＮｅｔＭＤモードのＯＦＦ要求が入力されるまで（ステップＳ４７；ＮＯ）、ＣＰＵ１１ａは、ステップＳ４４〜４７を繰り返し実行する。
【００５８】
上述したセレクタ状態表示処理によれば、ＣＰＵ１１ａは、Ｎｅｔ　ＭＤモードが設定されると、セレクタ１５がＭＤ側を選択した状態であるか否かを判断し、ＭＤ側であると判断すると、表示部１３にセレクタ１５の状態がＭＤ側であることを表示させ、ＭＤ側ではないと判断すると、表示部１３にセレクタ１５の状態がＵＳＢ側であることを表示させる。従って、ユーザは、Ｎｅｔ　ＭＤモード時のセレクタ１５の状態を知ることができる。
【００５９】
以上説明したように、ＣＰＵ１１ａにより上述したセレクタ自動切り換え処理Ａ、Ｂ、セレクタバックアップ処理、セレクタ状態表示処理を実行することにより、Ｎｅｔ　ＭＤモード時においてユーザがモード切り換え操作を行うことなくＭＤの音楽データ、ＰＣ２から入力された音楽データの再生を行うことができる。また、セレクタ１５の状態をユーザが把握することができる。更に、Ｎｅｔ　ＭＤモード時に電源ＯＦＦ操作やＡＣコンセントの引き抜きが行われても、記録再生装置１の立ち上げ時にセレクタ１５の状態をＮｅｔ　ＭＤモード開始時の状態に戻すことができるので、ユーザに違和感を与えることなく切り換え処理を行うことができる。
【００６０】
なお、上記実施の形態における記述内容は、本発明における好適な一例であり、これに限定されるものではない。
例えば、本実施の形態においては、記録再生装置１は、ＭＤに対して音楽データの記録、再生を行う装置として説明したが、ＣＤ、ＤＶＤ（Ｄｉｇｉｔａｌ　Ｖｅｒｓａｔｉｌｅ　Ｄｉｓｋ）等に音楽データを記録、再生する記録再生装置においても本発明を適用することができる。また、上述した記録再生装置１は、ＣＤ再生部、ＤＶＤ再生部等を備える構成であってもよい。
【００６１】
また、上記実施の形態においては、ＭＤモードにおいてのみＮｅｔ　ＭＤモードに移行できる例を挙げて説明したが、モード切り換えキー等の操作により直接Ｎｅｔ　ＭＤモードを選択できるようにしてもよい。
【００６２】
また、記録再生装置１とＰＣ２の接続は、ＵＳＢを介するものとしたが、データの送受信ができればよく、これに限定されない。
【００６３】
その他、オーディオシステム１００及びオーディオシステム１００を構成する各装置の細部構成及び細部動作に関しても、本発明の趣旨を逸脱することのない範囲で適宜変更可能である。
【００６４】
【発明の効果】
本発明によれば、記録再生装置をコンピュータ装置と接続し、コンピュータ装置からデータの記録や再生を制御する際の記録再生装置における操作性及び利便性を向上させることができる。
【図面の簡単な説明】
【図１】本発明に係るオーディオシステム１００の全体構成を概念的に示す図である。
【図２】図１のＣＰＵ１１ａにより実行されるセレクタ自動切り換え処理Ａを示すフローチャートである。
【図３】図１のＣＰＵ１１ａにより実行されるセレクタ自動切り換え処理Ｂを示すフローチャートである。
【図４】図１のＣＰＵ１１ａにより実行されるセレクタバックアップ処理を示すフローチャートである。
【図５】図１のＣＰＵ１１ａにより実行されるセレクタ状態表示処理を示すフローチャートである。
【符号の説明】
１　　記録再生装置
１１　　システムコントローラ
１１ａ　　ＣＰＵ
１１ｂ　　ＲＯＭ
１１ｃ　　ＲＡＭ
１２　　操作部
１３　　表示パネル部
１４　　ＭＤ記録再生部
１４１　　ＭＤ
１５　　セレクタ
１６　　Ｄ／Ａ変換器
１７　　アンプ
１８　　スピーカ
１９　　Ｉ／Ｆ
２　　ＰＣ
２１　　制御部
２１ａ　　ＣＰＵ
２１ｂ　　ＲＯＭ
２１ｃ　　ＲＡＭ
２２　　操作部
２３　　表示部
２４　　ハードディスク
２５　　ＣＤドライブ
２６　　Ｉ／Ｆ
２７　　通信制御部
３　　ＵＳＢ
１００　　オーディオシステム
【図１】
2004127412.tif 000003
【図２】
2004127412.tif 000004
【図３】
2004127412.tif 000005
【図４】
2004127412.tif 000006
【図５】
2004127412.tif 000007